(57)【要約】【課題】長時間にわたって装置内部に尿を蓄えることなく、所定期間分の尿を分析装置によって分析することで得られる分析結果に相当する分析結果を取得可能な蓄尿装置を提供する。【解決手段】尿を受け入れる尿受入部と、分析用容器を着脱可能に保持する保持部と、尿受入部によって受け入れられた尿を保持部によって保持された分析用容器に供給する供給部と、分析用容器に収容された複数の尿を分析装置によってそれぞれ分析することで得られる複数の第一の分析結果を受け付ける分析結果受付部と、分析結果受付部によって受け付けられた複数の第一の分析結果に基づき、所定期間内に被験者から採取された複数の尿が被験者ごとに混合された混合尿を分析装置によって分析することで得られる分析結果に相当する第二の分析結果を被験者ごとに取得する分析結果取得手段と、を備える蓄尿装置を提供する。【選択図】図２
2010190649.tif 000002
【特許請求の範囲】
【請求項１】
尿を受け入れる尿受入部と、
分析用容器を着脱可能に保持する保持部と、
前記尿受入部によって受け入れられた尿を前記保持部によって保持された分析用容器に供給する供給部と、
分析用容器に収容された尿を分析装置によって分析することで得られる第一分析結果を受け付ける分析結果受付部と、
前記分析結果受付部によって受け付けられた第一分析結果を記憶する記憶部と、
前記記憶部に記憶された第一分析結果のうち、所定の被験者の所定期間内に採取された尿に対応する第一分析結果に基づき、前記所定期間内に前記被験者から採取された尿を混合した混合尿を前記分析装置によって分析することで得られる分析結果に相当する第二分析結果を取得する分析結果取得手段と、を備える蓄尿装置。
【請求項２】
前記尿受入部によって尿が受け入れられた時刻を取得する受入時刻取得手段をさらに備え、
前記分析結果取得手段は、前記受入時刻取得手段によって取得された時刻が前記所定期間内の時刻である前記被験者の尿の第一分析結果に基づき、第二の分析結果を取得する請求項１に記載の蓄尿装置。
【請求項３】
前記被験者について、前記所定期間内に採取されたすべての尿の第一分析結果が前記記憶部に記憶されたか否かを判定する受付判定手段をさらに備え、
前記所定期間内に採取されたすべての尿の第一分析結果が前記記憶部に記憶されたと前記受付判定手段によって判定された場合、前記分析結果取得手段は、自動的に第二分析結果を取得する請求項１または２に記載の蓄尿装置。
【請求項４】
前記尿受入部によって受け入れられた尿に第一識別情報を割り当てる割当手段をさらに備え、
前記分析結果受付部は、第一分析結果およびそれと対応付けられた第二識別情報を受け付け、
前記記憶部は、前記第一識別情報と、前記第一分析結果に対応付けられた第二識別情報を記憶するよう構成され、
前記記憶部に記憶された第一識別情報と第二識別情報を照合する照合手段をさらに備え、
前記受付判定手段は、前記照合手段の照合結果に基づき、前記被験者について、前記所定期間内に採取されたすべての尿の第一分析結果が前記記憶部に記憶されたか否かを判定する請求項３に記載の蓄尿装置。
【請求項５】
前記分析結果受付部は、分析用容器に収容された尿に含有される所定の成分の濃度を含む第一分析結果を受け付けるように構成されており、
前記分析結果取得手段は、混合尿に含有される所定の成分の濃度を含む第二分析結果を取得する請求項１から４のいずれか一項に記載の蓄尿装置。
【請求項６】
前記尿受入部によって受け入れられた尿の量を測定する測定部をさらに備え、
前記記憶部は、前記測定部によって測定された尿の量を記憶するよう構成され、
前記分析結果取得手段は、前記記憶部に記憶された第一分析結果および尿の量のうち、前記被験者の前記所定期間内に採取された尿に対応する第一分析結果に含まれる所定の成分の濃度および量に基づき、前記所定期間内に前記被験者から採取された尿を混合した混合尿を前記分析装置によって分析することで得られる分析結果に相当する第二分析結果を取得する請求項５に記載の蓄尿装置。
【請求項７】
分析装置と蓄尿装置とが通信可能に接続された尿検査システムであって、
分析装置は、尿を装置内部に取り込む取込部、前記取込部によって装置内部に取り込まれた尿に試薬を分注する分注部、前記分注部によって試薬が分注された尿に光を照射することで光学情報を取得する検出部、前記検出部によって取得された光学情報から第一分析結果を取得する第一分析結果取得手段、および、前記第一分析結果取得手段によって得られる第一分析結果を蓄尿装置に送信する送信部を備え、
蓄尿装置は、尿を受け入れる尿受入部、分析用容器を着脱可能に保持する保持部、前記尿受入部によって受け入れられた尿を前記保持部に保持された分析用容器に供給する前記供給部、分析用容器に収容された尿を前記分析装置によって分析することで得られる第一分析結果を受信する受信部、前記受信部によって受信された第一分析結果を記憶する記憶部、および、前記記憶部に記憶された第一分析結果のうち、所定の被験者の所定期間内に採取された尿に対応する第一分析結果に基づき、前記所定期間内に前記被験者から採取された尿を混合した混合尿を前記分析装置によって分析することで得られる分析結果に相当する第二分析結果を取得する第二分析結果取得手段を備える検査システム。
【請求項８】
被験者から採取された尿を蓄尿装置によって分析用容器に供給する供給工程と、
分析用容器に収容された尿を分析装置によって分析することで第一分析結果を得る分析工程と、
前記供給工程および分析工程が所定期間内に複数回行われることで得られる複数の第一分析結果を、前記分析装置によって前記蓄尿装置へ送信する送信工程と、
前記送信工程において前記分析装置から送信される複数の第一分析結果を前記蓄尿装置によって受信する受信工程と、
前記受信工程において受信された複数の第一分析結果を前記蓄尿装置において記憶する記憶工程と、
前記記憶工程において記憶された複数の第一分析結果のうち、所定の被験者の前記所定期間内に採取された尿に対応する第一分析結果に基づき、前記所定期間内に前記被験者から採取された尿を混合した混合尿を前記分析装置によって分析することで得られる分析結果に相当する第二分析結果を取得する分析結果取得工程と、を備える尿検査方法。
【請求項９】
蓄尿装置によって分析用容器に供給された被験者の尿を分析装置によって分析することで得られた第一分析結果を前記分析装置から受信する受信部と、
前記受信部によって受信された第一分析結果を記憶する記憶部と、
前記記憶部に記憶された第一分析結果のうち、所定の被験者の所定期間内に採取された尿に対応する第一分析結果に基づき、前記所定期間内に前記被験者から採取された尿を混合した混合尿を前記分析装置によって分析することで得られる分析結果に相当する第二分析結果を取得する分析結果取得手段と、を備える情報処理装置。
【請求項１０】
前記受信部は、被験者から採取された尿の量を前記蓄尿装置で測定した結果を前期蓄尿装置から受信し、
前記記憶部は、前記受信部によって受信された尿の量を記憶するよう構成され、
前記分析結果取得手段は、前記記憶部に記憶された第一分析結果および尿の量のうち、前記被験者の所定期間内に採取された尿に対応する第一分析結果および量に基づき、前記所定期間内に前記被験者から採取された尿を混合した混合尿を前記分析装置によって分析することで得られる分析結果に相当する第二分析結果を取得する請求項９に記載の情報処理装置。
【請求項１１】
尿を装置内部に取り込む取込部と、
前記取込部によって装置内部に取り込まれた尿に試薬を分注する分注部と、
前記分注部によって試薬が分注された尿に光を照射することで光学情報を取得する検出部と、
前記検出部によって取得された光学情報から第一分析結果を取得する第一分析結果取得手段と、
被験者から一度に採取された尿の量を受け付ける受付部と、
前記第一分析結果取得手段によって取得された第一分析結果および前記受付部によって受け付けられた尿の量を記憶する記憶部と、
前記記憶部に記憶された第一分析結果および尿の量のうち、所定の被験者の所定期間内に採取された尿に対応する第一分析結果および量に基づき、前記所定期間内に前記被験者から採取された尿を混合した混合尿を前記分析装置によって分析することで得られる分析結果に相当する第二分析結果を取得する第二分析結果取得手段と、を備える分析装置。
【発明の詳細な説明】
【技術分野】
【０００１】
本発明は、被験者から採取された尿を蓄える蓄尿装置、尿検査システム、尿検査方法、情報処理装置および分析装置に関する。
【背景技術】
【０００２】
尿検査の分野において、被験者から採取された尿を装置内部に取り込み、取り込んだ尿の量および比重を測定し、装置内部に蓄える蓄尿装置が知られている。例えば、特許文献１には、尿が投入される尿投入槽と、尿投入槽に投入された尿量を測定するレベルセンサと、尿投入槽に投入された尿の比重を測定する比重センサと、尿を蓄えるための容器である尿カセットを保持するための保持部と、量および比重が測定された尿を尿カセットに分注可能、かつ、尿カセットに収容されている尿を抜き取り可能に構成された分注ノズルと、分注ノズルの動作を制御する制御部と、分注ノズルによって抜き取られた尿を装置外部に排出するバルブおよびポンプと、を備えた蓄尿装置が開示されている。
【０００３】
一方、上記特許文献１に記載されているような蓄尿装置によって１日の間に尿カセットに蓄えられた尿を、生化学分析装置で分析することも行われている。上記特許文献１に記載の蓄尿装置の尿投入槽には１日の間に複数回にわたって尿が投入される。上記特許文献１に記載の蓄尿装置は、１回目の尿投入槽への尿の投入において、量および比重が測定された尿のうち、尿カセットの容量分の尿を分注ノズルによって尿カセットに分注する。そして、２回目以降の尿投入槽への尿の投入において、これまでに尿投入槽に投入された尿の総量と今回尿投入槽に投入された量との比率に基づく量の尿を分注ノズルによって尿カセットから抜き取り、装置外部に排出する。その後、量および比重が測定された尿のうち、尿カセットから抜き取った量と同量の尿を分注ノズルによって尿カセットに分注する。上記特許文献１に記載の蓄尿装置は、このように動作することで一の尿カセットに尿を蓄える。
【先行技術文献】
【特許文献】
【０００４】
【特許文献１】特開２００１−３０５１３３号公報
【発明の開示】
【発明が解決しようとする課題】
【０００５】
ここで、尿カセットに蓄えられた尿を生化学分析装置で分析する段階において、尿カセットには患者から排出されてから長時間経過した尿が含まれている。尿は時間が経過するとともに劣化する。そのため、尿カセットに蓄えられた尿の劣化によって、生化学分析装置による分析結果の信頼性が低下したり、尿カセットから異臭が発生したりするといったおそれがあった。
【０００６】
本発明は、被験者から採取された尿を蓄える蓄尿装置、尿検査システム、尿検査方法、情報処理装置および分析装置に関し、長時間にわたって装置内部に尿を蓄えることなく、所定期間分の尿を分析装置によって分析することで得られる分析結果に相当する分析結果を取得可能な蓄尿装置、尿検査システム、尿検査方法、情報処理装置および分析装置を提供することを目的とする。
【課題を解決するための手段】
【０００７】
本発明は第一の局面から、尿を受け入れる尿受入部と、分析用容器を着脱可能に保持する保持部と、尿受入部によって受け入れられた尿を保持部によって保持された分析用容器に供給する供給部と、分析用容器に収容された複数の尿を分析装置によってそれぞれ分析することで得られる複数の第一の分析結果を受け付ける分析結果受付部と、分析結果受付部によって受け付けられた複数の第一の分析結果に基づき、所定期間内に被験者から採取された複数の尿が被験者ごとに混合された混合尿を分析装置によって分析することで得られる分析結果に相当する第二の分析結果を被験者ごとに取得する分析結果取得手段と、を備える蓄尿装置を提供する。
【０００８】
また、上記第一の局面において、尿受入部によって尿が受け入れられた時刻を取得する受入時刻取得手段をさらに備え、分析結果取得手段は、受入時刻取得手段によって取得された時刻が所定期間内の時刻である尿に関する複数の第一の分析結果に基づき、第二の分析結果を取得するように構成されていてもよい。
【０００９】
また、上記第一の局面において、少なくとも一の被験者について、所定期間内に尿受入部によって受け入れられたすべての尿の第一の分析結果が分析結果受付部によって受け付けられたか否かを判定する受付判定手段をさらに備え、分析結果取得手段は、少なくとも一の被験者について、所定期間内に尿受入部によって受け入れられたすべての尿の第一の分析結果が分析結果受付部によって受け付けられたと受付判定手段によって判定された場合、自動的に第二の分析結果を被験者ごとに取得するように構成されていてもよい。
【００１０】
また、上記第一の局面において、尿受入部によって受け入れられた尿に識別情報を割り当てる割当手段と、割当手段によって割り当てられる識別情報を記憶する記憶部と、をさらに備え、分析結果受付部は、識別情報と対応付けられた第一の分析結果を受け付けるように構成されており、記憶部に記憶された識別情報と、分析結果受付部によって受け付けられた第一の分析結果と対応付けられた識別情報とを照合する照合手段をさらに備え、受付判定手段は、照合手段の照合結果に基づき、所定期間内に尿受入部によって受け入れられたすべての尿の第一の分析結果が分析結果受付部によって受け付けられたか否かを判定するように構成されていてもよい。
【００１１】
また、上記第一の局面において、分析結果受付手段は、分析用容器に収容された尿に含有される所定の成分の濃度を含む第一の分析結果を受け付けるように構成されており、分析結果取得手段は、混合尿に含有される所定の成分の濃度を含む第二の分析結果を取得するように構成されていてもよい。
【００１２】
また、上記第一の局面において、尿受入部によって受け入れられた尿の量を測定する測定部をさらに備え、分析結果取得手段は、尿受入部によって受け入れられた複数の尿に各別に対応する所定の成分の濃度および尿の量に基づき、混合尿に含有される所定の成分の量および混合尿の量を算出し、算出された混合尿に含有される所定の成分の量および混合尿の量に基づき、混合尿に含まれる所定の成分の濃度を被験者ごとに取得するように構成されていてもよい。
【００１３】
また、本発明は第二の局面から、分析装置と蓄尿装置とが通信可能に接続された尿検査システムであって、分析装置は、尿を装置内部に取り込む取込部、取込部によって装置内部に取り込まれた尿に試薬を分注する分注部、分注部によって試薬が分注された尿に光を照射することで光学情報を取得する検出部、検出部によって取得された光学情報から第一の分析結果を取得する第一分析結果取得手段および第一分析結果取得手段によって得られる第一の分析結果を蓄尿装置に送信する送信部を備え、蓄尿装置は、尿を受け入れる尿受入部、分析用容器を着脱可能に保持する保持部、尿受入部によって受け入れられた尿を保持部に保持された分析用容器に供給する供給部、分析用容器に収容された尿の分析装置による分析結果を受信する受信部および受信部によって受信した複数の第一の分析結果に基づき、所定期間内に尿受入部に受け入れられた複数の尿が被験者ごとに混合された混合尿を分析装置によって分析することで得られる分析結果に相当する第二の分析結果を被験者ごとに取得する分析結果取得手段を備える検査システムを提供する。
【００１４】
また、本発明は第三の局面から、被験者から採取された尿を蓄尿装置によって分析用容器に供給する供給工程と、分析用容器に収容された尿を分析装置によって分析することで第一の分析結果を得る分析工程と、供給工程および分析工程が所定期間内に複数回行われることで得られる複数の第一の分析結果を、分析装置によって蓄尿装置へ送信する送信工程と、送信工程において分析装置から送信される複数の第一の分析結果を蓄尿装置によって受信する受信工程と、受信工程において受信される複数の第一の分析結果に基づき、所定期間内に被験者から採取された複数の尿が被験者ごとに混合された混合尿を分析装置によって分析することで得られる分析結果に相当する第二の分析結果を蓄尿装置によって被験者ごとに取得する分析結果取得工程と、を備える尿検査方法を提供する。
【００１５】
また、本発明は第四の局面から、蓄尿装置によって分析用容器に供給された尿を分析することで第一の分析結果を取得し、取得した第一の分析結果を送信可能であるように構成された分析装置から送信される複数の第一の分析結果を受信する受信部と、受信部によって受信した複数の第一の分析結果に基づき、所定期間内に被験者から採取された複数の尿が被験者ごとに混合された混合尿を分析装置によって分析することで得られる分析結果に相当する第二の分析結果を被験者ごとに取得する分析結果取得手段と、を備える情報処理装置を提供する。
【００１６】
また、上記第四の局面において、受信部は、被験者から採取された尿の量を測定し、その測定結果を送信可能であるように構成された蓄尿装置によって送信される複数の測定結果を受信するよう構成され、分析結果取得手段は、受信部によって受信した複数の測定結果および第一の分析結果に基づき、第二の分析結果を被験者ごとに取得するよう構成されていてもよい。
【００１７】
また、本発明は第五の局面から、尿を装置内部に取り込む取込部と、取込部によって装置内部に取り込まれた尿に試薬を分注する分注部と、分注部によって試薬が分注された尿に光を照射することで光学情報を取得する検出部と、検出部によって取得された光学情報から第一の分析結果を取得する第一分析結果取得手段と、被験者から一度に採取された尿の量を受付る受付部と、被験者から採取された複数の尿に各別に対応する尿の量および第一の分析結果に基づき、所定期間内に被験者から採取された複数の尿を被験者ごとに混合した混合尿の分析結果に相当する第二の分析結果を被験者ごとに取得する第二分析結果取得手段と、を備える分析装置を提供する。
【発明の効果】
【００１８】
本発明は、被験者から採取された尿を蓄える蓄尿装置、尿検査システム、尿検査方法、情報処理装置および分析装置に関し、長時間にわたって装置内部に尿を蓄えることなく、所定期間分の尿を分析装置によって分析することで得られる分析結果に相当する分析結果を取得可能な蓄尿装置、尿検査システム、尿検査方法、情報処理装置および分析装置を提供する。
【図面の簡単な説明】
【００１９】
【図１】尿検査システム１２のブロック図である。
【図２】蓄尿装置１の概略外観の斜視図である。
【図３】蓄尿装置１のブロック図である。
【図４】生化学分析装置１１のブロック図である。
【図５】分注ユニット５の模式図である。
【図６】分注ユニット５の模式図である。
【図７】尿検査システム１２の動作フローチャートである。
【図８】蓄尿装置１の動作フローチャートである。
【図９】蓄尿装置１の蓄尿処理のフローチャートである。
【図１０】蓄尿装置１の照合処理のフローチャートである。
【図１１】蓄尿装置１の集計処理のフローチャートである。
【図１２】生化学分析装置１１の動作フローチャートである。
【図１３】測定結果データベース１０４ａの構造を示す模式図である。
【図１４】分析結果データベース１０４ｂの構造を示す模式図である。
【図１５】集計処理データベース１０４ｃの構造を示す模式図である。
【図１６】患者情報データベース１０４ｄの構造を示す模式図である。
【図１７】処理管理データベース１０４ｅの構造を示す模式図である。
【図１８】情報処理装置１３を含む尿検査システム１２のブロック図である。
【発明を実施するための最良の形態】
【００２０】
＜尿検査システム１２＞
図１は、尿検査システム１２のブロック図である。図１に示すように尿検査システム１２はネットワークを介して接続された複数の蓄尿装置１と生化学分析装置１１を含む。
【００２１】
生化学分析装置１１は、尿を装置内部に取り込み、取り込んだ尿に試薬を分注し、試薬が分注された尿に光を照射することで吸光度を測定し、測定された吸光度に基づき、尿に含有されている生化学成分の濃度を取得可能に構成された装置である。本実施形態において、生化学分析装置１１は、尿に含有される蛋白質の濃度を取得可能に構成されており、取得された尿の蛋白濃度は蓄尿装置１に送信される。
【００２２】
蓄尿装置１は、例えば病院等の共同トイレおよび汚染処理施設などに設置されている。蓄尿装置１は、患者から採取された尿の装置内部への受け入れ、受け入れた尿の量および比重の測定、測定結果の表示および尿を蓄えるための容器であるスピッツ管へ尿を供給可能に構成されている。本実施形態において、蓄尿装置１は、予め設定されている基準時刻から２４時間以内に装置内部に受け入れた複数の尿の測定結果およびそれらに各別に対応する生化学分析装置１１による分析結果から、その間に患者によって蓄尿装置１に投入された複数の尿を患者ごとに混合した混合尿を生化学分析装置１１によって分析することで得られる分析結果に相当する分析結果を患者ごとに取得する。
【００２３】
＜蓄尿装置１＞
図２は、蓄尿装置１の概略外観の斜視図である。図２に示すように、蓄尿装置１は尿投入ユニット２、尿量測定ユニット３、比重測定ユニット４、分注ユニット５、取出部５２、容器保持部５７、洗浄ユニット６、ディスプレイ７１、プリンタ７２、タッチパネル入力ユニット８、ＲＦＩＤ読み取りユニット９、および、制御ユニット１０を備えている。
【００２４】
尿投入ユニット２は患者から採取された尿を投入するためのユニットである。尿投入ユニット２には自動開閉する保持台２１が備えられている。保持台２１は蓄尿装置１の筐体の前面に設けられている。保持台２１が前面に倒れることで尿投入ユニット２が開放状態となり、起立することで尿投入ユニット２が閉そく状態となる。保持台２１の裏面（前側に倒れたときの上面）には採尿カップ２０を載置および保持可能な凹部が形成されている。この凹部には、採尿カップ２０が載置されたか否かを検知する採尿カップセンサ２２が設けられている。
【００２５】
尿量測定ユニット３は尿投入ユニット２に投入された尿を収容する尿収容容器３１と、尿収容容器３１に収容された尿の液面の高さを検出する光センサ３２と、光センサ３２を上下方向に動かすための光センサ駆動装置３３とを備えている。尿収容容器３１の断面積は既知であるため、尿収容容器３１に投入された尿の液面の高さを光センサ３２によって検知することによって尿収容容器３１に収容された尿の量が測定可能である。
【００２６】
比重測定ユニット４は尿に接液したプリズム面に照射された光の反射角に基づき屈折率を求め、その屈折率に基づき尿の比重を算出する。
【００２７】
図５および図６は分注ユニット５の構成を示す模式図である。図５および図６に示すように分注ユニット５は、分注アーム５３、駆動部５１１、分注ノズル５１２、分注シリンジ５４、流路５５，５６、バルブ５８，５９および分岐ポイント５１０を備えている。分注アーム５３は、駆動部５１１によって水平方向に回動可能であるとともに昇降可能に構成されている。また、分注アーム５３の先端には尿を蓄えるための容器であるスピッツ管５０に尿を分注するための分注ノズル５１２が備えられている。分注シリンジ５４は分岐ポイント５１０と接続されており、バルブ５８が開放状態かつバルブ５９が閉そく状態である場合、流路５５によって分岐ポイント５１０と接続された尿収容容器３１に収容されている尿を、１０ｍｌ吸引する。さらに、分注シリンジ５４は、バルブ５８が閉そく状態かつバルブ５９が開放状態である場合、流路５６によって分岐ポイント５１０と接続された分注ノズル５１２に、吸引した尿を送出可能である。
【００２８】
図２に戻って、開閉可能な扉状の取出部５２は蓄尿装置１の筐体前面下部に設けられている。操作者は、取出部５２を開放状態とすることで容器保持部５７に保持されているスピッツ管５０を蓄尿装置１の外部に取り出すことが可能である。容器保持部５７は、複数のスピッツ管５０を着脱可能に保持するように構成されている。
【００２９】
洗浄ユニット６は、尿投入ユニット２、尿量測定ユニット３、比重測定ユニット４および分注ユニット５の洗浄を行うためのユニットであり、洗浄液タンク６０を備えている。洗浄液タンク６０は図示しない施設内の水道管と接続されている。また、排水管５１は洗浄ユニット６より分注ユニット５に送り出される洗浄液を蓄尿装置１の外部に排出するために設けられている。
【００３０】
ディスプレイ７１は蓄尿装置１の筐体前面に設けられた液晶パネルであり、操作情報や測定結果などを表示する。プリンタ７２は自動蓄尿装置１の筐体前面に設けられており、尿投入ユニット２に投入された尿を識別するための情報である検体ＩＤが含まれたバーコードをバーコードラベルに印刷する。このバーコードラベルは、蓄尿装置１の外部に取り出されたスピッツ管５０に、操作者によって貼付される。
【００３１】
タッチパネル入力ユニット８は、ディスプレイ７１の前面に液晶パネルを覆うようにして埋設されている。操作者は、ディスプレイ７１の表示に従ってタッチパネル入力ユニット８の所定位置を指で触れることにより、所望のキー入力を行うことができるようになっている。
【００３２】
ＲＦＩＤ読み取りユニット９はアンテナを含むリーダ／ライタ装置を備えている。一方、蓄尿装置１を利用する患者は、患者を識別するための患者ＩＤを記憶する不揮発性メモリを備えた非接触ＩＣタグ９０を腕に装着している。ＲＦＩＤ読み取りユニット９がアンテナを介して電波を送信すると、非接触ＩＣタグ９０は送信された電波によって誘起された誘起電圧を動作電源に変換し、不揮発性メモリに記憶された患者ＩＤのデータをＲＦＩＤ読み取りユニット９に発信する。ＲＦＩＤ読み取りユニット９は、非接触ＩＣタグ９０から発信された患者ＩＤを受信し、制御ユニット１０に出力する。
【００３３】
図３は蓄尿装置１のブロック図である。図３に示すように、制御ユニット１０は、ＣＰＵ１０１と、ＲＡＭ１０２と、ＲＯＭ１０３と、ハードディスク１０４と、入出力インタフェース１０５と、通信インタフェース１０６と、駆動回路１０７と、を備えている。ＣＰＵ１０１、ＲＡＭ１０２、ＲＯＭ１０３、ハードディスク１０４、入出力インタフェース１０５、通信インタフェース１０６、および、駆動回路１０７は相互にデータ伝送が可能であるようにデータバス１０８を介して接続されている。これにより、ＣＰＵ１０１は、ＲＡＭ１０２、ＲＯＭ１０３、および、ハードディスク１０４に対して、読み込みおよび書き込み可能に、入出力インタフェース１０５、通信インタフェース１０６、駆動回路１０７とのデータの送信および受信可能にそれぞれ構成されている。
【００３４】
ＣＰＵ１０１は、ＲＡＭ１０２にロードされたコンピュータプログラムおよびＲＯＭ１０３およびハードディスク１０４に記憶されたコンピュータプログラムを実行可能である。
【００３５】
ＲＡＭ１０２は、ＳＲＡＭまたはＤＲＡＭ等によって構成されており、ＲＯＭ１０３およびハードディスク１０４に記憶されているコンピュータプログラムを実行する際にＣＰＵ１０１の作業領域として利用される。
【００３６】
ＲＯＭ１０３はマスクＲＯＭ、ＰＲＯＭ、ＥＰＲＯＭ等によって構成されている。また、ＲＯＭ１０３には、ＣＰＵ１０１に実行されるコンピュータプログラムおよび測定結果のデータが記憶されている。
【００３７】
ハードディスク１０４には、ＣＰＵ１０１によって実行されるコンピュータプログラムが記憶されている。また、ハードディスク１０４には、測定結果データベース１０４ａ、分析結果データベース１０４ｂ、集計結果データベース１０４ｃ、患者情報データベース１０４ｄ、処理管理データベース１０４ｅも記憶されている。上記各データベースはリレーショナルデータベースである。図１３〜図１７は、それぞれ、測定結果データベース１０４ａ、分析結果データベース１０４ｂ、集計結果データベース１０４ｃ、患者情報データベース１０４ｄおよび処理管理データベース１０４ｅの構造を示す模式図である。
【００３８】
測定結果データベース１０４ａは、図１３に示すように、日付、患者ＩＤ、検体ＩＤ、投入時刻、投入尿量および尿比重のフィールドを備えている。日付フィールドには尿投入ユニット２に尿が投入された日付が登録される。また、患者ＩＤフィールドには患者ごとに一意に定まる識別情報が登録される。また、検体ＩＤフィールドにはスピッツ管５０に供給された尿ごとに一意に定まる識別情報が登録される。また、投入時刻フィールドには尿投入ユニット２に尿が投入された時刻が登録される。また、投入尿量フィールドには尿量測定ユニット３による測定結果として尿投入ユニット２に投入された尿の量が登録される。また、尿比重フィールドには比重測定ユニット４による測定結果として尿投入ユニット２に投入された尿の比重が登録される。
【００３９】
分析結果データベース１０４ｂは、図１４に示すように、日付、検体ＩＤおよび尿蛋白濃度のフィールドを備えている。尿蛋白濃度フィールドには生化学分析装置１１による分析結果としてスピッツ管５０に収容された尿の尿蛋白濃度が登録される。
【００４０】
集計結果データベース１０４ｃは、図１５に示すように、日付、患者ＩＤ、総投入尿量、平均尿比重および総投入尿量あたりの尿蛋白濃度のフィールドを備えている。総投入尿量フィールドには基準時刻から２４時間経過するまでの間に尿投入ユニット２に投入された尿の総量が登録される。また、平均尿比重フィールドには基準時刻から２４時間経過するまでの間に尿投入ユニット２に投入された尿の総量に対する尿比重が登録される。また、総投入尿量あたりの尿蛋白濃度フィールドには、基準時刻から２４時間経過するまでの間に尿投入ユニット２に投入された尿の総量に対する尿蛋白濃度が登録される。
【００４１】
患者情報データベース１０４ｄは、図１６に示すように、患者ＩＤおよび患者氏名のフィールドを備えている。患者氏名フィールドには、操作者によって、それぞれの患者ＩＤと対応する患者の氏名が予め登録されている。
【００４２】
処理管理データベース１０４ｅは、図１７に示すように、日付、患者ＩＤ、照合処理および集計処理のフィールドを備えている。照合処理フィールドおよび集計処理フィールドのそれぞれには、後述する照合処理または集計処理が完了していないことを示す未完了フラグまたは完了していることを示す完了フラグが登録される。
【００４３】
図３に戻って、入出力インタフェース１０５は、ディスプレイ７１およびタッチパネル入力ユニット８と電気的に接続されており、タッチパネル入力ユニット８によってユーザから入力される信号をＣＰＵ１０１に送信可能である。また、入出力インタフェース１０５は、ＣＰＵ１０１の指示に基づき、情報をディスプレイ７１に表示可能である。
【００４４】
通信インタフェース１０６は、Ｅｔｈｅｒｎｅｔ（登録商標）インタフェースである。蓄尿装置１は、通信インタフェース１０６によって、所定の通信プロトコル（ＴＣＰ／ＩＰ）を使用してＬＡＮケーブルにより接続された生化学分析装置１１とデータの送受信が可能である。
【００４５】
駆動回路１０７は尿投入ユニット２、尿量測定ユニット３、比重測定ユニット４、分注ユニット５、洗浄ユニット６、プリンタ７２およびＲＦＩＤ読み取りユニット９に電気的に接続されている。駆動回路１０７は、ＣＰＵ１０１からの命令を受け付け、受け付けた命令に対応する電気信号を送出することで各ユニットを駆動させる。
【００４６】
＜生化学分析装置１１＞
図４は、生化学分析装置１１のブロック図である。図４に示すように、生化学分析装置１１は読取ユニット１１１、検体分注ユニット１１２、試薬分注ユニット１１３、検出ユニット１１４および制御ユニット１１０を備えている。
【００４７】
読取ユニット１１１は、バーコードリーダを備え、スピッツ管５０に貼付されたバーコードを読み取り可能に構成されている。また、読取ユニット１１１は、読み取った検体ＩＤを制御部１１０に送信可能に構成されている。検体分注ユニット１１２は、尿吸引管およびポンプを備え、スピッツ管５０に収容された尿を吸引し、吸引した尿を装置内部に備えられたキュベットに吐出可能に構成されている。試薬分注ユニット１１３は、試薬吸引管およびポンプを備え、装置内部に備えられた試薬容器から試薬を吸引し、尿が収容されたキュベットに吐出可能に構成されている。これにより、キュベットに収容された尿に試薬が混和される。検出ユニット１１４は、キュベットに収容された尿に対して光を照射する光源および尿を透過する光を受光する受光部を備えている。また、検出ユニット１１４は、尿を透過し、受光部によって受光された光の強度を制御装置１１０に送信可能に構成されている。
【００４８】
制御ユニット１１０は、ＣＰＵ１１０ａと、記憶装置１１０ｂと、駆動回路１１０ｃと、通信インタフェース１１０ｄと、データバス１１０ｅと、を備えている。ＣＰＵ１１０ａ、記憶装置１１０ｂ、駆動回路１１０ｃおよび通信インタフェース１１０ｄは、データバス１１０ｅを介して相互に通信可能に接続されている。
【００４９】
ＣＰＵ１１０ａは、記憶装置１１０ｂに記憶されているコンピュータプログラムを実行可能に構成されている。また、ＣＰＵ１１０ａは、検出ユニット１１４から送信される透過光強度から吸光度を算出し、算出した吸光度から尿蛋白濃度を分析結果として取得可能に構成されている。記憶装置１１０ｂは、ＣＰＵ１１０ａによって実行されるコンピュータプログラムを記憶する。また、記憶装置１１０ｂは、ＣＰＵ１１０ａによって分析結果として取得される尿蛋白濃度を、読取ユニット１１１によって取得される検体ＩＤと対応付けて記憶する。駆動回路１１０ｃは、読取ユニット１１１、検体分注ユニット１１２、試薬分注ユニット１１３および検出ユニット１１４と電気的に接続されており、ＣＰＵ１１０ａからの命令を受け付け、受け付けた命令に対応する電気信号を各ユニットに送出することによって、それぞれのユニットを駆動させる。通信インタフェース１１０ｄは、Ｅｔｈｅｒｎｅｔ（登録商標）インタフェースであり、所定の通信プロトコル（ＴＣＰ／ＩＰ）を使用してネットワークを介して接続された蓄尿装置１に、検体ＩＤと対応付けられ記憶装置１１０ｂに記憶された分析結果を送信する。
【００５０】
＜尿検査システム１２における１日の検査の流れ＞
図７は、尿検査システム１２における１日の検査の流れを示すフローチャートである。以降、図７を参照しつつ、尿検査システム１２における１日の検査の流れについて説明する。
【００５１】
図７に示すステップＳ−Ａにおいて、患者によって蓄尿装置１に尿が投入される。患者によって尿が投入されると、ステップＳ−Ｂにおいて、蓄尿装置１は、投入された尿の量（ｍｌ）および比重を測定し、測定が終了した尿の一部を分注ユニット５によってスピッツ管５０に分注する。尿が分注されたスピッツ管５０は容器保持部５７に保持される。
【００５２】
次いで、ステップＳ−Ｃにおいて、蓄尿装置１の操作者（たとえば看護士）は、容器保持部５７に保持されているスピッツ管５０を取り出す時間になったか否かを判定する。本実施形態において、スピッツ管５０を取り出す時間は、１日のなかで任意に定められてよく、例えば、３０分おきであってもよいし、２時間おきであってもよい。スピッツ管５０を取り出す時間になっていない場合（ステップＳ−ＣにおいてＮＯ）、ステップＳ−Ａにおける処理が行われる。
【００５３】
スピッツ管５０を取り出す時間になった場合（ステップＳ−ＣにおいてＹＥＳ）、ステップＳ−Ｄにおいて、操作者は、取出部５２を開放状態とし、容器保持部５７に保持されている尿が収容されたスピッツ管５０を装置外部に取り出し、その後、取出部５２を閉そく状態とする。
【００５４】
蓄尿装置１から取り出されたスピッツ管５０は、操作者によって、生化学分析装置１１にセットされる。ステップＳ−Ｅにおいて、生化学分析装置１１は、セットされたスピッツ管５０に収容された尿を分析し、その結果として尿蛋白濃度（ｍｇ／ｄｌ）を得る。分析が終了すると、ステップＳ−Ｆにおいて、生化学分析装置１１は、スピッツ管５０に収容された尿の分析結果を蓄尿装置１に送信する。
【００５５】
次いで、ステップＳ−Ｇにおいて、蓄尿装置１は生化学分析装置１１から送信された分析結果を受信する。分析結果を受信すると、蓄尿装置１は、ステップＳ−Ｈにおいて、基準時刻から２４時間経過したか否かを判定する。本実施形態において、基準時刻は予め０時に設定されている。これは、操作者によって任意に変更可能である。基準時刻から２４時間経過していないと蓄尿装置１が判定した場合（ステップＳ−ＨにおいてＮＯ）、ステップＳ−Ａにおける処理が行われる。
【００５６】
基準時刻から２４時間経過したと判定した場合（ステップＳ−ＨにおいてＹＥＳ）、蓄尿装置１は、ステップＳ−Ｉにおいて、基準時刻から２４時間経過するまでの間に投入された複数の尿の測定結果および分析結果に基づき、その間に患者が蓄尿装置１に投入した複数の尿を患者ごとに混合した混合尿を生化学分析装置１１によって分析することで得られる分析結果に相当する分析結果を求めるための集計処理を行う。
【００５７】
集計処理において、蓄尿装置１は、下記［数１］を計算することで各回に投入された尿に含有される蛋白量を求める。そして、その結果に基づき下記［数２］を計算することで、基準時刻から２４時間経過するまでの間の総投入尿量（ｍｌ）に対する尿蛋白濃度（ｍｇ／ｄｌ）を、患者ごとに算出する。また、蓄尿装置１は、下記［数３］を計算することで、基準時刻から２４時間経過するまでの間の総投入尿量（ｍｌ）に対する尿比重を患者ごとに算出する。
【００５８】
【数１】
2010190649.tif 000003
【００５９】
【数２】
2010190649.tif 000004
【００６０】
【数３】
2010190649.tif 000005
【００６１】
ここで、Ｑは投入された尿の量、Ｄは投入された尿の尿蛋白濃度、Ｐは投入された尿に含有される蛋白量、Ｇは投入された尿の比重、ＧＰは総投入尿量に対する尿蛋白濃度、ＳＧは総投入尿量に対する尿比重、ｎは一の患者による尿の総投入回数である。また、ｉは何回目の投入における値であるかを示す自然数である（たとえば１回目の投入における尿の量はＱ１となる）。
【００６２】
集計処理が終了すると、ステップＳ−Ｊにおいて、蓄尿装置１は、操作者による指示に基づき、ステップＳ−Ｉにおける集計処理の結果である総投入尿量に対する尿蛋白濃度および尿比重をディスプレイ７１に表示させる。これにより、１日の検査が終了する。
【００６３】
＜蓄尿装置１の動作＞
本実施形態における蓄尿装置１は、基準時刻から２４時間経過するまでの間に測定結果データベース１０４ａおよび分析結果データベース１０４ｂに登録されたデータの集計処理を行うことで、その間に患者が蓄尿装置１に投入した複数の尿を患者ごとに混合した混合尿を生化学分析装置１１によって分析することで得られる分析結果に相当する分析結果を患者ごとに取得する。図８は蓄尿装置１の動作の流れを示すフローチャートである。以降、図８を参照しつつ蓄尿装置１の動作について説明する。
【００６４】
図８に示すステップＳ１において、ＣＰＵ１０１は、各ユニットを初期動作位置に配置する処理を行う。
【００６５】
次いで、ステップＳ２において、ＣＰＵ１０１は、ＲＦＩＤ読み取りユニット９によって、患者ＩＤを受信したか否かを判定する処理を行う。ここで、非接触ＩＣタグ９０を装着した患者が蓄尿装置１の前面に立つことで、患者ＩＤが蓄尿装置１に発信される。非接触ＩＣタグ９０から発信された患者ＩＤを受信していないと判定した場合（ステップＳ２においてＮＯ）、ＣＰＵ１０１は後述するステップＳ４の処理を行う。
【００６６】
非接触ＩＣタグ９０から発信された患者ＩＤを受信したと判定した場合（ステップＳ２においてＹＥＳ）、ＣＰＵ１０１はステップＳ３において、蓄尿処理を行う。蓄尿処理において、蓄尿装置１は、患者によって装置内部に投入された尿の量および比重を測定するとともに、その一部をスピッツ管５０に分注する。図９は、蓄尿装置１の蓄尿処理動作の流れを示すフローチャートである。以降、図９を参照しつつ、蓄尿処理動作について説明する。
【００６７】
図９に示すステップＳ３０１において、ＣＰＵ１０１は、ステップＳ２において受信した患者ＩＤに対応する患者情報を取得する処理を行う。ここで、ＣＰＵ１０１は、受信した患者ＩＤをＲＡＭ１０２に記憶する処理を行い、患者情報データベース１０４ｄから、ＲＡＭ１０２に記憶した患者ＩＤと対応する患者氏名フィールドから患者の氏名を読み出し、ＲＡＭ１０２に記憶する処理を行う。例えば、ステップＳ２で患者Ｐ０１という患者ＩＤを受信した場合、ＣＰＵ１０１は、図１６に示す患者情報データベース１０４ｄにおいて、「サトウ  タイチ」という患者氏名を読み出す。
【００６８】
次いで、ステップＳ３０２において、ＣＰＵ１０１は、蓄尿処理を行おうとしている患者が、患者情報データベース１０４ｄに登録されているか否かを判定する処理を行う。ここで、ＣＰＵ１０１は、ステップＳ３０１においてＲＡＭ１０２に記憶した患者の名前と「名前を確認してください」などのメッセージと、名前が正しいか否かの選択操作を受け付けるための「はい」、「いいえ」という２つのソフトキーとをディスプレイ７１に表示させる。「いいえ」のソフトキーが選択された場合（ステップＳ３０２においてＮＯ）、ステップＳ３０３において、ＣＰＵ１０１は、エラー処理を行い、蓄尿処理動作を終了する。
【００６９】
「はい」のソフトキーが選択された場合（ステップＳ３０２においてＹＥＳ）、ステップＳ３０４において、ＣＰＵ１０１は、患者による投入ユニット２０への尿の投入を待機する処理を行う。ここで、ＣＰＵ１０１は、保持台２１を装置前側に倒して尿投入ユニットを開放状態とすることで採尿カップ２０を保持台２１に形成された凹部に載置および保持可能状態とする。さらに、ＣＰＵ１０１は、患者に採尿カップ２０をセットするよう促すため、ディスプレイ７１に「採尿カップをセットしてください」などのメッセージを表示させる。そして、採尿カップセンサ２２によって、採尿カップ２０がセットされたことを検知すると、ＣＰＵ１０１は、保持台２１を起立させることで投入ユニット２を閉そく状態とする。このような一連の動作によって、採尿カップ２０内の尿が尿投入ユニット２に投入される。
【００７０】
尿投入ユニット２０に尿が投入されると（ステップＳ３０４においてＹＥＳ）、ＣＰＵ１０１は、ステップＳ３０５において、採尿カップセンサ２２によって、採尿カップ２０のセットを検知した時点における日付および時刻をＲＡＭ１０２に記憶する
【００７１】
次いで、ステップＳ３０６において、ＣＰＵ１０１は、尿収容容器３１に収容された尿の液面の高さを光センサ３２よって測定することで、尿投入ユニット２０に投入された尿の量を測定し、その結果をＲＡＭ１０２に記憶する処理を行う。量の測定が終了すると、ステップＳ３０７において、ＣＰＵ１０１は、比重測定ユニット４によって、尿収容容器３１から流入した尿の屈折率を測定し、測定された屈折率から尿比重を算出し、その結果をＲＡＭ１０２に記憶する処理を行う。
【００７２】
次いで、ステップＳ３０８において、ＣＰＵ１０１は、分注ユニット５によって、スピッツ管５０に尿を分注する処理を行う。ここで、ＣＰＵ１０１は、バルブ５８を開放状態、バルブ５９を閉そく状態とし、分注シリンジ５４によって、尿収容容器３１から尿を１０ｍｌ吸引する。次に、ＣＰＵ１０１は、分注アーム５３を水平方向に回動させるとともに昇降させることで、尿が収容されていないスピッツ管５０に尿を供給可能な位置に分注ノズル５１２を配置する。次に、ＣＰＵ１０１は、バルブ５８を閉そく状態、バルブ５９を開放状態とし、分注シリンジ５４を押し込むことによって、先ほど吸引した尿を分注ノズル５１２に送出する。これにより、スピッツ管５０に尿が供給される。尿が供給されたスピッツ管５０は、図７に示すフローチャートのステップＳ−Ｄにおいて、操作者によって取出部５２から取り出される。
【００７３】
スピッツ管５０に尿が供給されると、ステップＳ３０９において、ＣＰＵ１０１は、スピッツ管５０に収容された尿を識別するための検体ＩＤを付与する処理を行う。ここで、検体ＩＤは、尿投入ユニット２に投入された順に、「Ｓ０００１」、「Ｓ０００２」、「Ｓ０００３」、・・・、というように連番形式で付与される。ＣＰＵ１０１は、付与した検体ＩＤをＲＡＭ１０２に記憶するとともに、プリンタ７２によって、ＲＡＭ１０２に記憶した検体ＩＤを含むバーコードをバーコードラベルに印刷する。バーコードラベルは、操作者によってスピッツ管５０に貼付される。
【００７４】
次いで、ステップＳ３１０において、ＣＰＵ１０１は、洗浄ユニット６によって各ユニットを洗浄する処理を行う。ＣＰＵ１０１は、洗浄ユニット６によって、図示しない施設内の水道管から水道水を取り込み、取り込んだ水道水と洗浄液タンク６０内の洗浄液とを混和させ、これを各ユニットに送出することで各ユニットを洗浄する。
【００７５】
次いで、ステップＳ３１１において、ＣＰＵ１０１は、ＲＡＭ１０２に記憶した日付、患者ＩＤ、検体ＩＤ、投入時刻、投入尿量および尿比重を、測定結果データベース１０４ａに登録する。次いで、ステップＳ３１２において、ＣＰＵ１０１は、患者ＩＤ、患者氏名、尿量および尿比重をディスプレイ７１に表示させる。
【００７６】
図８に戻り、ステップＳ４において、ＣＰＵ１０１は、生化学分析装置１１から送信される蓄尿装置１がスピッツ管５０に供給した尿の分析結果およびそれと対応する検体ＩＤを、通信インタフェース１０６によって受信したか否かを判定する処理を行う。
【００７７】
分析結果およびそれと対応づけられた検体ＩＤを受信したと判定した場合（ステップＳ４においてＹＥＳ）、ステップＳ５において、ＣＰＵ１０１は、受信した検体ＩＤに対応する日付を測定結果データベース１０４ａから読み出し、読み出した日付、検体ＩＤおよび分析結果を、分析結果データベース１０４ｂに登録する。また、分析結果およびそれと対応づけられた検体ＩＤを受信していないと判定した場合（ステップＳ４においてＮＯ）、ＣＰＵ１０１は、後述するステップＳ１２の処理を行う。
【００７８】
次いで、ステップＳ６において、ＣＰＵ１０１は、基準時刻（０時）から２４時間経過したか否かを判定する処理を行う。
【００７９】
基準時刻から２４時間経過したと判定した場合（ステップＳ６においてＹＥＳ）、ＣＰＵ１０１は、ステップＳ７において、処理管理データベース１０４ｅの日付フィールドに前日の日付を、患者ＩＤフィールドに患者情報データベース１０４ｄに登録されているすべての患者ＩＤを、患者ＩＤフィールドに登録された患者ＩＤと対応する照合処理フィールドおよび集計処理フィールドに未完了フラグを登録する。
【００８０】
次いで、ステップＳ８において、ＣＰＵ１０１は、後述する照合処理および集計処理の対象とする処理対象日として、集計処理の未完了フラグが登録されている患者ＩＤと対応する日付を処理管理データベース１０４ｅから選択する。該当する日付が複数ある場合、最新の日付を選択する。例えば、図１７に示す処理管理データベース１０４ｅにおいて、集計処理フィールドに未完了フラグが登録されている患者ＩＤ：Ｐ０１に対応する日付である１／１が選択される。
【００８１】
次いで、ステップＳ９において、ＣＰＵ１０１は、処理対象日に対応する測定結果および分析結果を対象として照合処理を行う。照合処理は、基準時刻から２４時間以内に蓄尿装置１に投入されたすべての尿についての分析結果の取得が完了しているかどうかを患者ごとに判定する処理である。図１０は、蓄尿装置１の照合処理動作の流れを示すフローチャートである。以降、図１０を参照しつつ、蓄尿装置１の照合処理について説明する。
【００８２】
図１０に示すステップＳ９０１において、ＣＰＵ１０１は、処理対象日に対応し、照合処理フィールドに未処理フラグが登録されている患者ＩＤを処理管理データベース１０４ｅから選択する処理を行う。該当する患者ＩＤが複数ある場合には、番号の最も小さい患者ＩＤを選択する。例えば、図１７に示す処理管理データベース１０４ｅにおいて、処理対象日が１／１である場合、照合処理フィールドに未完了フラグが登録されている患者ＩＤ：Ｐ０２が選択される。
【００８３】
次いで、ステップＳ９０２において、ＣＰＵ１０１は、処理対象日に対応し、ステップＳ９０１において選択した患者ＩＤと対応する検体ＩＤを、測定結果データベース１０４ａから選択する。該当する検体ＩＤが複数ある場合には、番号の最も小さい検体ＩＤを選択する。例えば、図１３に示す測定結果データベース１０４ａにおいて、処理対象日が１／１であり、患者ＩＤ：Ｐ０２が選択された場合、検体ＩＤ：Ｓ０００５が選択される。
【００８４】
次いで、ステップＳ９０３において、ＣＰＵ１０１は、ステップＳ９０２で選択した検体ＩＤが、分析結果データベース１０４ｂに登録されているか否かを判定する処理を行う。例えば、検体ＩＤ：Ｓ０００５が選択された場合、図１４に示す分析結果データベース１０４ａにおいて、検体ＩＤ：Ｓ０００５が登録されているか否かが判定される。ステップＳ９０２で選択した検体ＩＤが分析結果データベース１０４ｂに登録されていない場合（ステップＳ９０３においてＮＯ）、ＣＰＵ１０１は、後述するステップＳ９０６の処理を行う。
【００８５】
ステップＳ９０２で選択した検体ＩＤが分析結果データベース１０４ｂに登録されている場合（ステップＳ９０３においてＹＥＳ）、ステップＳ９０４において、ＣＰＵ１０１は、ステップＳ９０１で選択した患者ＩＤに対応する検体ＩＤのうち、未選択のものが測定結果データベース１０４ａにないか判定する。例えば、患者ＩＤ：Ｐ０２が選択され、ステップＳ９０３で検体ＩＤ：Ｓ０００５が選択された場合、測定結果データベース１０４ａに、検体ＩＤ：Ｓ０００６が登録されているか否かが判定される。未選択の検体ＩＤが測定結果データベース１０４ａにあると判定した場合（ステップＳ９０４においてＮＯ）、ＣＰＵ１０１は、ステップＳ９０２の処理を行う。
【００８６】
未選択の検体ＩＤが測定結果データベース１０４ａにないと判定した場合、（ステップＳ９０４においてＹＥＳ）、ステップＳ９０５において、ＣＰＵ１０１は、処理管理データベース１０４ｅにおいて、処理対象日に対応し、ステップＳ９０１で選択した患者ＩＤに対応する照合処理フィールドに完了フラグを登録する処理を行う。例えば、図１７に示す処理管理データベース１０４ｅにおいて、処理対象日が１／１であり、ステップＳ９０１で選択した患者ＩＤがＰ０２である場合、患者ＩＤ：Ｐ０２と対応する照合処理フィールドに完了フラグが登録される。
【００８７】
ステップＳ９０６において、ＣＰＵ１０１は、処理対象日に対応し、照合処理フィールドに未完了フラグが登録された患者ＩＤのうち、未選択のものが処理管理データベース１０４ｅにないか判定する。未選択の患者ＩＤが処理管理データベース１０４ｅにあると判定した場合（ステップＳ９０６においてＮＯ）、ＣＰＵ１０１は、ステップＳ９０１の処理を行う。未選択の患者ＩＤが処理管理データベース１０４ｅにないと判定した場合（ステップＳ９０６においてＹＥＳ）、ＣＰＵ１０１は照合処理を終了させる。
【００８８】
図８に戻り、ステップＳ１０において、ＣＰＵ１０１は、処理対象日に対応する測定結果および分析結果を対象として集計処理を行う。集計処理は、基準時刻から２４時間以内に投入された複数の尿の測定結果および分析結果から、前記複数の尿を患者ごとに混合した混合尿を生化学分析装置１１によって分析することで得られる分析結果に相当する分析結果を患者ごとに算出する処理である。図１１は、蓄尿装置１の集計処理動作の流れを示すフローチャートである。以降、図１１を参照しつつ、集計処理について説明する。
【００８９】
図１１に示すステップＳ１００１において、ＣＰＵ１０１は、処理対象日に対応し、照合処理フィールドに完了フラグ、集計処理フィールドに未完了フラグがそれぞれ登録された患者ＩＤが処理管理データベース１０４ｅにあるか否かを判定する。上記条件に適合する患者ＩＤが処理管理データベース１０４ｅにない場合（ステップＳ１００１においてＮＯ）、ＣＰＵ１０１は集計処理を行わず、後述するステップＳ１２の処理を行う。
【００９０】
上記条件に適合する患者ＩＤが処理管理データベース１０４ｅにある場合（ステップＳ１００１においてＹＥＳ）、ステップＳ１００２において、ＣＰＵ１０１は、上記条件と適合する患者ＩＤを処理管理データベース１０４ｅから選択する。該当する患者ＩＤが複数ある場合、番号の最も小さい患者ＩＤを選択する。例えば、図１７に示す処理管理データベース１０４ｅにおいて、処理対象日が１／１である場合、上記条件と適合する患者ＩＤ：Ｐ０１が選択される。
【００９１】
ステップＳ１００３において、ＣＰＵ１０１は、処理対象日に対応し、ステップＳ１００２において選択した患者ＩＤに対応する検体ＩＤ、投入尿量、尿比重および尿蛋白濃度を測定結果データベース１０４ａおよび分析結果データベース１０４ｂから読み出し、ＲＡＭ１０２に記憶する処理を行う。例えば、処理対象日が１／１であり、ステップＳ１００２で選択された患者ＩＤがＰ０１である場合、患者ＩＤ：Ｐ０１と対応する検体ＩＤ：Ｓ０００１〜Ｓ０００４と、それらに対応する投入尿量、尿比重および尿蛋白濃度が測定結果データベース１０４ａおよび分析結果データベース１０４ｂから読み出され、ＲＡＭ１０２に記憶される。
【００９２】
ステップＳ１００４において、ＣＰＵ１０１は、集計処理に用いる変数の初期設定処理を行う。ここで、ＣＰＵ１０１は、変数Ａ、変数Ｂおよび変数Ｃを０とし、変数ｉを１とする。変数Ａは総投入尿量を求めるための変数である。また、変数Ｂは平均尿比重を求めるための変数である。また、変数Ｃは尿蛋白量を求めるための変数である。また、変数ｉは一の患者ＩＤに対応するデータを処理した回数を計数するための変数である。
【００９３】
ステップＳ１００５において、ＣＰＵ１０１は、処理対象の検体ＩＤをＲＡＭ１０２から選択する処理を行う。該当する検体ＩＤが複数ある場合には、番号の最も小さい検体ＩＤを選択する。例えば、ステップＳ１００２で患者ＩＤ：Ｐ０１が選択された場合、患者ＩＤ：Ｐ０１と対応する検体ＩＤ：Ｓ０００１〜Ｓ０００４のなかで一番小さい検体ＩＤであるＳ０００１が選択される。
【００９４】
ステップＳ１００６において、ＣＰＵ１０１は、総投入尿量あたりの尿蛋白濃度を算出するために下記［数４］を計算し、その結果を変数Ｃに加算する。
【００９５】
【数４】
2010190649.tif 000006
【００９６】
ここで、ＱおよびＤは、それぞれステップＳ１００５で選択された検体ＩＤと対応する投入尿量（ｍｌ）および尿蛋白濃度（ｍｇ／ｄｌ）であり、Ｐは尿蛋白量である。例えば、ステップＳ１００５で選択した検体ＩＤがＳ０００１である場合、ＣＰＵ１０１は、Ｐ＝３００／１００＊５．１＝１５．３を変数Ｃに加算する。
【００９７】
ステップＳ１００７において、ＣＰＵ１０１は、総投入尿量を算出するため、ステップＳ１００５で選択した検体ＩＤと対応する投入尿量を、変数Ａに加算する処理を行う。例えば、ステップＳ１００５で選択した検体ＩＤがＳ０００１である場合、ＣＰＵ１０１は変数Ａに３００を加算する。
【００９８】
ステップＳ１００８において、ＣＰＵ１０１は、平均尿比重を算出するため、ステップＳ１００５で選択した検体ＩＤと対応する尿比重を変数Ｂに加算する処理を行う。例えば、ステップＳ１００５に選択した検体ＩＤがＳ０００１である場合、ＣＰＵ１０１は変数Ｂに１．０１８を加算する。
【００９９】
ステップＳ１００９において、ＣＰＵ１０１は、変数Ａ、変数Ｂおよび変数ＣをＲＡＭ１０２に記憶する処理を行う。
【０１００】
ステップＳ１０１０において、ＣＰＵ１０１は、まだ選択されていない検体ＩＤがＲＡＭ１０２に残っていないか判定する。未選択の検体ＩＤが残っていると判定した場合（ステップＳ１０１０においてＮＯ）、ステップＳ１０１１において、ＣＰＵ１０１は、変数ｉに１を加算してＲＡＭ１０２に保存し、ステップＳ１００４の処理を行う。
【０１０１】
未選択の検体ＩＤがないと判定した場合（ステップＳ１０１０においてＹＥＳ）、ステップＳ１０１２において、ＣＰＵ１０１は、変数Ａを総投入尿量としてＲＡＭ１０２に記憶する。
【０１０２】
次いで、ステップＳ１０１３において、ＣＰＵ１０１は、下記［数５］を計算し、その結果を平均尿比重としてＲＡＭ１０２に記憶する処理を行う。
【０１０３】
【数５】
2010190649.tif 000007
【０１０４】
次いで、ステップＳ１０１４において、ＣＰＵ１０１は、下記［数６］を計算し、その結果を総投入尿量あたりの尿蛋白濃度としてＲＡＭ１０２に記憶する処理を行う。
【０１０５】
【数６】
2010190649.tif 000008
【０１０６】
ここで、総投入尿量あたりの尿蛋白濃度は、基準時刻から２４時間以内に、蓄尿装置１に投入された複数の尿を患者ごとに混合した混合尿を生化学分析装置１１によって分析することで得られる分析結果に相当する分析結果である
【０１０７】
次いで、ステップＳ１０１５において、ＣＰＵ１０１は、処理対象日、ステップＳ１００１で選択した患者ＩＤ、ステップＳ１０１２〜Ｓ１０１４でＲＡＭ１０２に記憶した総投入尿量、平均尿比重および総投入尿量あたりの尿蛋白濃度を集計結果データベース１０４ｃに登録する処理を行う。
【０１０８】
次いで、ステップＳ１０１６において、ＣＰＵ１０１は、処理管理データベース１０４ｅにおいて、処理対象日に対応し、ステップＳ１００２で選択した患者ＩＤに対応する集計処理フィールドに完了フラグを登録する処理を行う。
【０１０９】
次いで、ステップＳ１０１７において、ＣＰＵ１０１は、処理対象日に対応し、照合処理フィールドに完了フラグ、集計処理フィールドに未完了フラグがそれぞれ登録された患者ＩＤのうち、未選択のものがないかを判定する処理をおこなう。未選択の患者ＩＤがあると判定した場合（ステップＳ１０１７においてＮＯ）、ＣＰＵ１０１は、ステップＳ１００１の処理を行う。未選択の患者ＩＤがないと判定した場合（ステップＳ１０１７においてＹＥＳ）、ＣＰＵ１０１は、集計処理を終了させる。
【０１１０】
図８に戻り、ステップＳ６において、基準時刻から２４時間経過していないと判定した場合（ステップＳ６においてＮＯ）、ステップＳ１１において、ＣＰＵ１０１は、処理管理データベース１０４ｅにおいて集計処理フィールドに未完了フラグが登録されているか否かを判定する。
【０１１１】
処理管理データベース１０４ｅにおいて集計処理フィールドに未完了フラグが登録されていないと判定した場合（ステップＳ１１においてＮＯ）、ＣＰＵ１０１は、後述するステップＳ１２の処理を行う。
【０１１２】
処理管理データベース１０４ｅにおいて集計処理フィールドに未完了フラグが登録されていると判定した場合（ステップＳ１１においてＹＥＳ）、ＣＰＵ１０１はステップＳ８の処理を行う。
【０１１３】
ステップＳ１２において、ＣＰＵ１０１は、操作者による集計結果データベース１０４ｃの内容の表示指示（例えば、特定の日付および患者ＩＤなどに関するデータを表示する指示）があるか否かを判定する処理を行う。操作者は、タッチパネル入力ユニット８を介して表示指示を出す。操作者による表示指示がないと判定した場合（ステップＳ１２においてＮＯ）、ＣＰＵ１０１は後述するステップＳ１４の処理を行う。
【０１１４】
操作者による表示指示があると判定した場合（ステップＳ１２においてＹＥＳ）、ＣＰＵ１０１は、ステップＳ１３において、表示指示に基づき、日付、患者ＩＤ、総投入尿量、平均尿比重および総投入尿量あたりの尿蛋白濃度を集計結果データベース１０４ｃから読み出し、図１５に示すような表の形式でディスプレイ７１に表示させる処理を行う。
【０１１５】
次いで、ステップＳ１４において、ＣＰＵ１０１は、操作者からのシャットダウン指示があるか否かを判定する処理を行う。シャットダウン指示がないと判定した場合（ステップＳ１４においてＮＯ）、ＣＰＵ１０１は、ステップＳ２の処理を行う。シャットダウン指示があると判定した場合（ステップＳ１４においてＹＥＳ）、ＣＰＵ１０１は、ステップＳ１５においてシャットダウン処理を行う。
【０１１６】
＜生化学分析装置１１の動作＞
図１２は、生化学分析装置１１の分析処理動作の流れを示すフローチャートである。以降、図１２を参照しつつ、生化学分析装置１１の分析処理動作について説明する。
【０１１７】
図１２に示すステップＳ１１１において、ＣＰＵ１１０ａは、各ユニットを初期動作位置に配置する処理を行う。
【０１１８】
次いで、ステップＳ１１２において、ＣＰＵ１１０ａは、尿が収容されたスピッツ管５０が、生化学分析装置１１にセットされているか否かを判定する。尿が収容されたスピッツ管５０がセットされていないと判定した場合（ステップＳ１１２においてＮＯ）、ＣＰＵ１１０ａは、後述するステップＳ１１８の処理を行う。
【０１１９】
尿が収容されたスピッツ管５０がセットされていると判定した場合（ステップＳ１１２においてＹＥＳ）、ステップＳ１１３において、ＣＰＵ１１０ａは、読み取りユニット１１１によってスピッツ管５０に貼付されたバーコードを読み取り、検体ＩＤを取得する処理を行う。
【０１２０】
次いで、ステップＳ１１４において、ＣＰＵ１１０ａは、検体分注ユニット１１２によって、スピッツ管５０に収容された尿を吸引し、装置内部のキュベットに尿を吐出する処理を行う。
【０１２１】
次いで、ステップＳ１１５において、ＣＰＵ１１０ａは、試薬分注ユニット１１３によって、試薬容器から試薬を吸引し、尿が収容されたキュベットに試薬を吐出する処理を行う。試薬分注ユニット１１３によって試薬が分注された尿は検出ユニット１１４に移送される。
【０１２２】
次いで、ステップＳ１１６において、ＣＰＵ１１０ａは、検出ユニット１１４によって、キュベットに収容された尿に対して光を照射し、尿を透過する光の強度を取得する。次いで、ステップＳ１１７において、ＣＰＵ１１０ａは、ステップＳ１１６で得られた透過光の強度に基づき尿の吸光度を算出し、算出した吸光度から尿蛋白濃度を分析結果として取得するとともに、ステップＳ１１２で取得した検体ＩＤと対応付けて記憶装置１１０ｂに記憶する処理を行う。
【０１２３】
次いで、ステップＳ１１８において、ＣＰＵ１１０ａは、記憶装置１１０ｂに記憶された検体ＩＤと対応付けられた分析結果を、通信インタフェース１１０ｄによって蓄尿装置１に送信する処理を行う。
【０１２４】
次いで、ステップＳ１１９において、ＣＰＵ１１０ａは、操作者からのシャットダウンの指示があるか否かを判定する処理を行う。シャットダウンの指示がないと判定した場合（ステップＳ１１９においてＮＯ）、ＣＰＵ１１０ａは、ステップＳ１１２の処理を行う。シャットダウンの指示があると判定した場合（ステップＳ１１９においてＹＥＳ）、ステップＳ１１１０において、ＣＰＵ１１０ａは、シャットダウン処理を行う。
【０１２５】
以上説明したように、本実施形態における蓄尿装置１は、装置内部から取出部５２を介し、操作者の任意のタイミングにおいて、尿が収容されたスピッツ管５０を取り出し可能に構成されている。さらに、蓄尿装置１は、１日の間に測定結果データベース１０４ａおよび分析結果データベース１０４ｂにそれぞれ登録された尿量および尿蛋白濃度から、１日の間に蓄尿装置１に投入された複数の尿を混合した混合尿を生化学分析装置１１によって分析することで得られる尿蛋白濃度に相当する総投入尿量あたりの尿蛋白濃度を、患者ごとに算出可能に構成されている。これにより、蓄尿装置１は、長時間にわたって装置内部に尿を蓄えることなく、１日の間に投入された複数の尿を混合した混合尿を生化学分析装置１１によって分析することで得られる分析結果に相当する分析結果を取得可能である。
【０１２６】
＜その他の実施例＞
なお、今回開示された実施形態は、すべての点で例示であって制限的なものではないと考えられるべきである。本発明の範囲は、上記の実施形態の説明ではなく、特許請求の範囲によって示され、さらに特許請求の範囲と均等の意味および範囲内でのすべての変更が含まれる。
【０１２７】
上記実施形態において、生化学分析装置１１による尿の分析結果の項目は、尿蛋白濃度であるが、本発明はこれに限らず、尿糖、クレアチニン、ＢＵＮ、ＩＰ、Ｃペプチド、Ｎａ、ＫおよびＣｌの濃度であってもよい。さらに、上記実施形態において、生化学分析装置１１は、分析結果の項目として尿蛋白濃度だけを蓄尿装置１に送信しているが、本発明はこれに限らず、生化学分析装置１１が複数の項目を含む分析結果を蓄尿装置１に送信し、蓄尿装置１は、送信された複数の分析結果（複数の項目を含む）およびそれらに各別に対応する測定結果について集計処理を行ってもよい。例えば、図１に示す尿検査システム１２において、生化学分析装置１１が、尿蛋白濃度、尿糖濃度およびクレアチニン濃度という３つの項目を含む複数の分析結果を蓄尿装置１に送信する。蓄尿装置１は、受信した複数の分析結果と、それらに各別に対応する測定結果（投入尿量および尿比重）について集計処理を行うことで、総投入尿量と、それに対する尿比重と、尿蛋白、尿糖およびクレアチニンの濃度を患者ごとに取得する。
【０１２８】
また、上記実施形態において、蓄尿装置１が図８のフローチャートに示すステップＳ１０における集計処理を行っているが、本発明はこれに限らず、コンピュータから構成された情報処理装置が集計処理を行ってもよい。図１８は情報処理装置１３を含む尿検査システム１２のブロック図である。例えば、図１８に示す尿検査システム１２において、蓄尿装置１は、投入された尿の量および比重を測定結果として情報処理装置１３に送信する。また、生化学分析装置１１は、蓄尿装置１に投入されスピッツ管５０に供給された尿の尿蛋白濃度を分析結果として情報処理装置１３に送信する。情報処理装置１３は、受信した複数の測定結果（投入尿量および尿比重）とそれらに各別に対応する複数の分析結果（尿蛋白濃度）について集計処理を行うことで、総投入尿量と、それに対する尿比重および尿蛋白濃度を患者ごとに取得する。
【０１２９】
また、上記実施形態において、蓄尿装置１が図８のフローチャートに示すステップＳ１０における集計処理を行っているが、本発明はこれに限らず、生化学分析装置１１が集計処理を行ってもよい。例えば、図１に示す尿検査システム１２において、蓄尿装置１が、投入された尿の量および比重を測定結果として生化学分析装置１１に送信する。生化学分析装置１１のＣＰＵ１１０ａは、蓄尿装置１から送信された測定結果を通信インタフェース１１０ｄによって受信し、記憶装置１１０ｂに記憶する。また、ＣＰＵ１１０ａは、図１２に示すフローチャートの各ステップにおける処理を実行することで、蓄尿装置１によってスピッツ管５０に供給された尿の尿蛋白濃度を取得し、それを分析結果として記憶装置１１０ｂに記憶する。そして、ＣＰＵ１１０ａは、記憶装置１１０ｄに記憶されている複数の測定結果（投入尿量および尿比重）と、それらに各別に対応する複数の分析結果（尿蛋白濃度）について集計処理を行うことで、総投入尿量と、それに対する尿比重および尿蛋白濃度を患者ごとに取得する。
【符号の説明】
【０１３０】
１    蓄尿装置
１１  生化学分析装置
１２  尿検査システム
１３  情報処理装置
【図１】
2010190649.tif 000009
【図２】
2010190649.tif 000010
【図３】
2010190649.tif 000011
【図４】
2010190649.tif 000012
【図５】
2010190649.tif 000013
【図６】
2010190649.tif 000014
【図７】
2010190649.tif 000015
【図８】
2010190649.tif 000016
【図９】
2010190649.tif 000017
【図１０】
2010190649.tif 000018
【図１１】
2010190649.tif 000019
【図１２】
2010190649.tif 000020
【図１３】
2010190649.tif 000021
【図１４】
2010190649.tif 000022
【図１５】
2010190649.tif 000023
【図１６】
2010190649.tif 000024
【図１７】
2010190649.tif 000025
【図１８】
2010190649.tif 000026